【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
光ディスクに情報を記録／再生する装置であって、
前記光ディスクは基板に積層された第１〜第ｎ（ｎは２以上の整数）の記録層を有し、前記第１〜第ｎの記録層のそれぞれは前記光ディスクの半径方向に第１〜第ｍ（ｍは２以上の整数）のデータゾーン群に区画されたデータ領域を有し、前記第１〜第ｍのデータゾーン群のそれぞれは少なくとも１つのデータゾーンを含み、
前記光ディスクによって反射された光ビームを受け取る受光手段と、
前記光ビームの焦点の位置を前記光ディスクの前記第１〜第ｎの記録層の積層方向に移動させる移動手段と、
前記受光手段の出力に応じて前記移動手段を制御する制御手段と
を備え、
前記制御手段は、フォーカス制御を解除して、前記選択された１つの記録層の第ｊ（ｊ＝１，２，・・・，ｍ）のデータゾーン群から前記選択された１つの記録層に隣接する記録層の第ｊのデータゾーン群に前記光ビームの焦点をジャンプさせるように前記移動手段を制御し、
さらに、前記光ビームの焦点が前記第１〜第ｎの記録層のうち選択された１つの記録層へ到達した位置が所定の半径誤差範囲内となるように前記移動手段を制御する装置。
【請求項２】
前記光ディスクは、
前記データゾーンには物理アドレスが所定の方向に沿って増加するように割り当てられており、
前記第ｎの記録層の前記データゾーンにおいて物理アドレスが増加する方向と、前記第ｎの記録層に隣接する第ｎ−１の記録層の前記データゾーンにおいて物理アドレスが増加する方向とは、反対であり、
前記記録層のうち、前記基板から最も近い記録層を第１層とし、前記基板から最も遠い記録層を第ｎ層とし、前記第１層あるいは第ｎ層にはフォーカス引き込みゾーンが設けられており、さらに前記フォーカス引き込みゾーン近傍からデータゾーンにかけて物理アドレスは増加する方向に割り当てられており、
前記装置は、
前記受光手段の出力に応じて前記移動手段を制御することにより、装置の起動時には前記第１の記録層あるいは第ｎ層を選択し、前記フォーカス引き込みゾーンでフォーカス制御を実行するフォーカス制御手段をさらに備える、請求項１に記載の装置。
【請求項３】
光ディスクに情報を記録する装置であって、
前記光ディスクは、基板に積層された第１〜第ｎ（ｎは２以上の整数）の記録層を有し、前記第１〜第ｎの記録層のそれぞれは前記光ディスクの半径方向に第１〜第ｍ（ｍは２以上の整数）のデータゾーン群に区画されたデータ領域を有し、前記第１〜第ｍのデータゾーン群のそれぞれは単一のデータゾーンを含み、
前記データゾーンには物理アドレスが所定の方向に沿って増加するように割り当てられており、
前記第ｎの記録層の前記データゾーンにおいて物理アドレスが増加する方向と、前記第ｎの記録層に隣接する第ｎ−１の記録層の前記データゾーンにおいて物理アドレスが増加する方向とは、反対であり、
前記記録層のうち、前記基板から最も近い記録層を第１層とし、前記基板から最も遠い記録層を第ｎ層とし、前記第１層あるいは第ｎ層にはフォーカス引き込みゾーンが設けられており、さらに前記フォーカス引き込みゾーン近傍からデータゾーンにかけて物理アドレスは増加する方向に割り当てられており、
装置の起動時には前記第１の記録層あるいは第ｎ層を選択し、前記フォーカス引き込みゾーンでフォーカス制御を実行するフォーカス制御手段を備えた装置。
【請求項４】
２つ以上の記録層を有する光ディスクであって、
前記記録層の各層には層識別アドレスが予めプリフォーマットされており、
第１層の層識別アドレス位置と第２層の層識別アドレス位置との相対距離情報をディスクの所定位置に記録した光ディスク。
【請求項５】
２つ以上の記録層の各層に層識別アドレスが予めプリフォーマットされた光ディスクの記録装置であって、
第１の層にフォーカス制御をかけて得られる第１層の層識別アドレス位置を基準として、クロストークによって得られる第２層の前記層識別アドレス位置を検出するアドレス検出手段と、
第１、第２のアドレスの相対距離を測定する測距手段と、
前記測距手段で測定された距離に対応した情報を、前記光ディスクの所定位置に記録する制御部と、
を含む光ディスク記録装置。
【請求項６】
２つ以上の記録層の各層には層識別アドレスが予めプリフォーマットされ、ディスクの所定位置に第１層の前記層識別アドレス位置と第２層の前記層識別アドレス位置の相対距離情報とが予め記録された光ディスクを再生する装置であって、
第１の層にフォーカス制御をかけて得られる第１層の前記層識別アドレス位置を検出する第１のアドレス検出手段と、クロストークによって得られる第２層の前記層識別アドレス位置を検出する第２のアドレス検出手段と、
前記第１、第２のアドレス検出手段によって第１、第２のアドレスの相対距離を測定する測距手段とを備え、前記ディスクの所定位置の相対距離情報と、前記測距手段による距離情報が一致した場合、データの再生を開始する光ディスク再生装置。
【手続補正２】
【補正対象書類名】明細書
【補正対象項目名】００１４
【補正方法】変更
【補正の内容】
【００１４】
本発明の装置は、光ディスクに情報を記録／再生する装置であって、前記光ディスクは基板に積層された第１〜第ｎ（ｎは２以上の整数）の記録層を有し、前記第１〜第ｎの記録層のそれぞれは前記光ディスクの半径方向に第１〜第ｍ（ｍは２以上の整数）のデータゾーン群に区画されたデータ領域を有し、前記第１〜第ｍのデータゾーン群のそれぞれは少なくとも１つのデータゾーンを含み、前記光ディスクによって反射された光ビームを受け取る受光手段と、前記光ビームの焦点の位置を前記光ディスクの前記第１〜第ｎの記録層の積層方向に移動させる移動手段と、前記受光手段の出力に応じて前記移動手段を制御する制御手段とを備え、前記制御手段は、フォーカス制御を解除して、前記選択された１つの記録層の第ｊ（ｊ＝１，２，・・・，ｍ）のデータゾーン群から前記選択された１つの記録層に隣接する記録層の第ｊのデータゾーン群に前記光ビームの焦点をジャンプさせるように前記移動手段を制御し、さらに、前記光ビームの焦点が前記第１〜第ｎの記録層のうち選択された１つの記録層へ到達した位置が所定の半径誤差範囲内となるように前記移動手段を制御し、これにより上記目的が達成される。
前記光ディスクは、前記データゾーンには物理アドレスが所定の方向に沿って増加するように割り当てられており、前記第ｎの記録層の前記データゾーンにおいて物理アドレスが増加する方向と、前記第ｎの記録層に隣接する第ｎ−１の記録層の前記データゾーンにおいて物理アドレスが増加する方向とは、反対であり、前記記録層のうち、前記基板から最も近い記録層を第１層とし、前記基板から最も遠い記録層を第ｎ層とし、前記第１層あるいは第ｎ層にはフォーカス引き込みゾーンが設けられており、さらに前記フォーカス引き込みゾーン近傍からデータゾーンにかけて物理アドレスは増加する方向に割り当てられており、前記装置は、前記受光手段の出力に応じて前記移動手段を制御することにより、装置の起動時には前記第１の記録層あるいは第ｎ層を選択し、前記フォーカス引き込みゾーンでフォーカス制御を実行するフォーカス制御手段をさらに備えていてもよい。
本発明の装置は、光ディスクに情報を記録する装置であって、前記光ディスクは、基板に積層された第１〜第ｎ（ｎは２以上の整数）の記録層を有し、前記第１〜第ｎの記録層のそれぞれは前記光ディスクの半径方向に第１〜第ｍ（ｍは２以上の整数）のデータゾーン群に区画されたデータ領域を有し、前記第１〜第ｍのデータゾーン群のそれぞれは単一のデータゾーンを含み、前記データゾーンには物理アドレスが所定の方向に沿って増加するように割り当てられており、前記第ｎの記録層の前記データゾーンにおいて物理アドレスが増加する方向と、前記第ｎの記録層に隣接する第ｎ−１の記録層の前記データゾーンにおいて物理アドレスが増加する方向とは、反対であり、前記記録層のうち、前記基板から最も近い記録層を第１層とし、前記基板から最も遠い記録層を第ｎ層とし、前記第１層あるいは第ｎ層にはフォーカス引き込みゾーンが設けられており、さらに前記フォーカス引き込みゾーン近傍からデータゾーンにかけて物理アドレスは増加する方向に割り当てられており、装置の起動時には前記第１の記録層あるいは第ｎ層を選択し、前記フォーカス引き込みゾーンでフォーカス制御を実行するフォーカス制御手段を備え、これにより上記目的が達成される。
本発明の光ディスクは、２つ以上の記録層を有する光ディスクであって、前記記録層の各層には層識別アドレスが予めプリフォーマットされており、第１層の層識別アドレス位置と第２層の層識別アドレス位置との相対距離情報をディスクの所定位置に記録しており、これにより上記目的が達成される。
本発明の光ディスク記録装置は、２つ以上の記録層の各層に層識別アドレスが予めプリフォーマットされた光ディスクの記録装置であって、第１の層にフォーカス制御をかけて得られる第１層の層識別アドレス位置を基準として、クロストークによって得られる第２層の前記層識別アドレス位置を検出するアドレス検出手段と、第１、第２のアドレスの相対距離を測定する測距手段と、前記測距手段で測定された距離に対応した情報を、前記光ディスクの所定位置に記録する制御部と、を含み、これにより上記目的が達成される。
本発明の光ディスク再生装置は、２つ以上の記録層の各層には層識別アドレスが予めプリフォーマットされ、ディスクの所定位置に第１層の前記層識別アドレス位置と第２層の前記層識別アドレス位置の相対距離情報とが予め記録された光ディスクを再生する装置であって、第１の層にフォーカス制御をかけて得られる第１層の前記層識別アドレス位置を検出する第１のアドレス検出手段と、クロストークによって得られる第２層の前記層識別アドレス位置を検出する第２のアドレス検出手段と、前記第１、第２のアドレス検出手段によって第１、第２のアドレスの相対距離を測定する測距手段とを備え、前記ディスクの所定位置の相対距離情報と、前記測距手段による距離情報が一致した場合、データの再生を開始し、これにより上記目的が達成される。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】